(57)【要約】【課題】袋本体の開口部を封緘する封緘片が設けられた主として合成樹脂製の包装用袋に関し、離型剤が不用意に廃棄されるという問題がなく、また商品の収納を行う際に工場の作業員の手に離型剤が不用意に付着するおそれがない包装用袋を提供することを課題とする。【解決手段】袋本体１の開口部２を封緘する封緘片３が設けられた包装用袋において、前記封緘片３を前記袋本体１と対面させた際に、該封緘片３を前記袋本体１に接着させる接着剤４が前記封緘片３に設けられ、且つ前記封緘片３を前記袋本体１と対面しないように折り曲げた際に、前記接着剤４と対面する封緘片３上の位置に、接着剤保護シート５が固定して取り付けられていることを特徴とする。【選択図】　　図１
2004034990.tif 000002
【特許請求の範囲】
【請求項１】
袋本体（１）　の開口部（２）　を封緘する封緘片（３）　が設けられた包装用袋において、前記封緘片（３）　を前記袋本体（１）　と対面させた際に、該封緘片（３）　を前記袋本体（１）　に接着させる接着剤（４）　が前記封緘片（３）　に設けられ、且つ前記封緘片（３）　を前記袋本体（１）　と対面しないように折り曲げた際に、前記接着剤（４）　と対面する封緘片（３）　上の位置に、接着剤保護シート（５）　が固定して取り付けられていることを特徴とする包装用袋。
【請求項２】
接着剤保護シート（５）　の長手方向の一側縁（５ａ）側が両面接着テープを介して固着されている請求項１記載の包装用袋。
【請求項３】
接着剤保護シート（５）　の長手方向の一側縁（５ａ）側が熱溶着されている請求項１記載の包装用袋。
【請求項４】
接着剤保護シート（５）　の短手方向の両側縁（５ｂ），（５ｃ）　側が、封緘片（３）　の両側縁に熱溶断シールされている請求項１乃至３のいずれかに記載の包装用袋。
【発明の詳細な説明】
【０００１】
【発明の属する技術分野】
本発明は包装用袋、さらに詳しくは、袋本体の開口部を封緘する封緘片が設けられた主として合成樹脂製の包装用袋に関する。
【０００２】
【従来の技術】
従来、この種の包装用袋としては、たとえば図２１に示すように、合成樹脂製フィルムからなる袋本体１ｃの上部に開口部２ｃが形成され、その開口部２ｃから前記袋本体１ｃの一片１ｄを他片１ｅより上方に延長して封緘片３ｃが形成された構成からなるものがある。
【０００３】
また、吊り下げて展示される包装用袋として、たとえば図２２に示すように、袋本体の上部に区画シール部７ｃを介して補強片８ｃを内包するヘッダー部６ｃを設けた包装用袋があり、この包装用袋では、袋本体１ｃの下部に開口部２ｃを有し、その開口部２ｃから前記袋本体１ｃの一片１ｄを他片１ｅより延長して封緘片３ｃが形成されている。
【０００４】
そして前記のような図２１及び図２２に示す包装用袋においては、袋本体１ｃの上部の区画シール部７ｃの直下に開口部２ｃを有し、区画シール部７ｃからフィルムを下方に延出して封緘片３ｃが形成されたものである。
【０００５】
そして、このような包装用袋は、いずれも封緘片３ｃの内面側に接着剤４ｃを介して離型材５ｃが設けられており、袋本体１ｃ内に商品が収納された後、離型材５ｃが剥離され、接着剤４ｃを介して封緘片３ｃが袋本体１ｃの他片１ｅ側に接着されることとなる。
【０００６】
このような接着剤４ｃは一般に粘着性のであり、封緘片３ｃ上に裸出されたままの状態で設けられていると、不用意に接着されることとなるので、その防止のために上記のような離型材５ｃが設けられているのである。
【０００７】
【発明が解決しようとする課題】
しかし、このような離型材５ｃは、剥離された後は用途がなく、廃棄されることとなる。その場合、ゴミ箱等に廃棄すれば問題はないが、屋外で上記のような包装用袋が使用される場合、地面等に廃棄されることがある。
【０００８】
たとえば、公共料金の徴収の際に領収書を収納するために上記図２１のような包装用袋が使用されることがあるが、そのような場合、集金係員は領収書を包装用袋の袋本体内に収納した後、上記離型材５ｃを剥離し、封緘片３ｃを折り曲げ袋本体１ｃ側に接着させて封緘した状態で訪問先の徴収者に手渡すが、その場合、近辺にゴミ箱もなく、また上記のような袋の封緘や領収書の手渡しを迅速に行わなければならないことから、剥離された離型材５ｃはそのまま地面等に廃棄される。
【０００９】
一方、上記図２２のようなヘッダー部６ｃを有する包装用袋は、袋本体１ｃ内に商品を収納して店頭等で吊り下げ展示されるが、その商品の収納は一般に工場等で作業員によってなされる。
【００１０】
このような包装用袋も、離型材５ｃを剥離し、封緘片３ｃを折り曲げ袋本体１ｃ側に接着させて封緘されるが、その場合、離型材５ｃが作業員の手に不用意に付着するおそれがある。
【００１１】
すなわち、離型材５ｃは、一般に合成樹脂製のテープ状のものであるので、工場等で静電気を帯びて作業員の手に付着し、その結果、作業に支障をきたすという問題点がある。
【００１２】
本発明は、上述のような問題点を解決するためになされたもので、離型剤が不用意に廃棄されるという問題がなく、また商品の収納を行う際に工場の作業員の手に離型剤が不用意に付着するおそれがない包装用袋を提供することを課題とする。
【００１３】
【課題を解決するための手段】
本発明は、このような課題を解決するためになされたもので、その課題を解決するための手段は、袋本体１の開口部２を封緘する封緘片３が設けられた包装用袋において、前記封緘片３を前記袋本体１と対面させた際に、該封緘片３を前記袋本体１に接着させる接着剤４が前記封緘片３に設けられ、且つ前記封緘片３を前記袋本体１と対面しないように折り曲げた際に、前記接着剤４と対面する封緘片３上の位置に、接着剤保護シート５が固定して取り付けられていることである。
【００１４】
接着剤保護シート５の固定は、たとえば接着剤保護シート５の長手方向の一側縁側を、両面接着テープを介して封緘片３に固着することによってなされ、或いは接着剤保護シート５の長手方向の一側縁５ａ側を、封緘片３に熱溶着することによってなされる。
【００１５】
また、接着剤保護シート５の短手方向の両側縁５ｂ，５ｃ　側を、封緘片３の両側縁に熱溶断シールすると、接着剤保護シート５はより確実に封緘片に固着されることとなる。
【００１６】
本発明の包装用袋は、使用前の状態においては、封緘片３を袋本体１と対面しないように折り曲げ、接着剤４が接着剤保護シート５に接着されている。
【００１７】
そして、被包装物を包装する場合には、先ず被包装物を袋本体１内に収納した後、折り曲げられ且つ接着剤４を介して接着剤保護シート５に接着されていた封緘片３を展開し、折り込みの位置を代えて袋本体１と対面させ、接着剤４を介して封緘片３を袋本体１に接着する。これによって、袋本体１が封緘されることとなる。
【００１８】
この場合において、使用前においては、封緘片３は接着剤を介して接着剤保護シート５に接着されているので、接着剤保護シート５が従来の離型材の機能を奏し、接着剤４は表面に裸出することなく接着剤保護シート５で保護されることになる。従って、接着剤４が手等に不用意に接着されることもない。
【００１９】
【発明の実施の形態】
以下、本発明の実施形態について図面に従って説明する。
【００２０】
（実施形態１）
図１乃至図６において、１は透明な合成樹脂製フィルム、より具体的には延伸ポリプロピレンフィルムからなる袋本体で、該フィルムからなる一片１ａと他片１ｂとが両側部で熱シールされている。
【００２１】
また袋本体１の上部には開口部２が形成されており、その開口部２から前記袋本体１の一片１ａを他片１ｂより延長して封緘片３が形成されている。そして、この封緘片３の内面側の上部には接着剤４が設けられ、封緘片３の内面側の下部には、該接着剤４の接着面となって接着剤を保護するための接着剤保護シート５が固定して取り付けられている。
【００２２】
接着剤保護シート５は、合成樹脂製フィルム、より具体的には延伸ポリプロピレンフィルムからなる細長い帯状のものであり、図４に示すようにその長手方向の一側縁（下部の側縁５ａ）が両面接着テープ（図示せず）を介して固着されており、また短手方向の両側縁５ｂ，５ｃ　が、封緘片３の両側縁に熱溶断シールされることによって、封緘片３に固定されているのである。この接着剤保護シート５の接着剤と対面する側には、シリコン樹脂が塗布されている。
【００２３】
そして、前記封緘片３は、図１及び図２に示すように、接着剤４が接着剤保護シート５と対面するように且つ封緘片３自体は袋本体１と対面しないように折り曲げられており、接着剤４が接着剤保護シート５に接着されている。
【００２４】
そして、このような構成からなる包装用袋６を使用する場合には、先ず図３に示すように被包装物７を袋本体１内に収納する。この場合、袋本体１の開口部２は封緘片３で閉塞されていないので、被包装物７を開口部２から袋本体１内に収納する作業をスムーズに行えることとなる。
【００２５】
次に、折り曲げられた状態で接着剤４を介して接着剤保護シート５に接着されていた封緘片３を、図４及び図５に示すように展開する。これによって、接着剤４は接着剤保護シート５から剥離され、接着剤４は表面に裸出された状態となる。この場合において、接着剤保護シート５の接着剤４と対面する側にはシリコン樹脂が塗布されているため、接着剤４は接着剤保護シート５側に残存することがなく、封緘片３側に好適に移行することとなる。
【００２６】
この状態から、図６に示すように、折り込みの位置を代えて袋本体１と対面するように封緘片３を再度折り曲げると、接着剤４は表面に裸出された状態となっているので、同図に示すように、その接着剤４を介して封緘片３は袋本体１の他片１ｂ側に接着されることとなる。
【００２７】
これによって、袋本体１が封緘されることとなる。
【００２８】
上述のように、本実施形態においては、包装用袋の使用前においては、封緘片３は接着剤４を介して接着剤保護シート５に接着されているので、接着剤保護シート５は離型材としての機能を奏し、接着剤は表面に裸出することなく接着剤保護シート５で保護されることになる。従って、袋本体１に被包装物７を収納する際に、その被包装物７に接着剤４が不用意に接着されることもない。
【００２９】
本実施形態の包装用袋を製造する場合について説明すると、先ず図７に示すように長尺状合成樹脂製フィルム１２を移送し、図８に示すように、合成樹脂製フィルム１２の一片１２ａ　側が他片１２ｂ　側より延長されて延長片１３が形成されるように２つ折り状態に折り曲げる。
【００３０】
次に、図９に示すように、長尺帯状の合成樹脂製テープ１４を、前記延長片１３上であって長尺状合成樹脂製フィルム１２の他片１２ｂ　の縁部近辺に移送し、両面接着テープ（図示せず）を介して合成樹脂製テープ１４の長手方向一側縁側を前記延長片１３上に固着する。
【００３１】
また、同図のように、前記延長片１３上であって、延長片１３の縁部近辺には、接着剤４を長尺状の状態に塗着する。
【００３２】
次に、図１０に示すように、これによって接着剤４が合成樹脂製テープ１４に接着されるように延長片１３が折り曲げられる。
【００３３】
その後、図１１に示すように、折り曲げられた長尺状合成樹脂製フィルム１２の短手方向等間隔毎に熱溶断すると、合成樹脂製フィルム１２の一片１２ａ　及び他片１２ｂ　の両側縁が熱溶断シールされるとともに、合成樹脂製テープ１４の両側縁が延長片１３の両側縁と熱溶断シールされることとなる。これによって、合成樹脂製テープ１４が所定寸法に切断されて接着剤保護シート５が形成されることとなる。また延長片１３が所定寸法に切断されて封緘片３となる。
このようにして、図１及び図２に示すような包装用袋６の製造が完成する。
【００３４】
（実施形態２）
本実施形態では袋本体１の上部にヘッダー部８が形成されており、その点でヘッダー部が形成されていない実施形態１の包装用袋と相違する。
【００３５】
すなわち、本実施形態では、図１２及び図１３に示すように、袋本体１を構成する両片１ａ，１ｂ　が区画シール部９を介して上部に延長されて形成されたフィルム間に、該フィルムより厚手の合成紙からなる補強片１０が介装着されることにより形成されている。
【００３６】
１１は、前記ヘッダー部８の略中央に穿設された吊下用孔を示す。
【００３７】
本実施形態においては、図１２及び図１３に示すように、袋本体１の下部に開口部２が形成されており、その開口部２から前記袋本体１の一片１ａを他片１ｂより延長して封緘片３が形成されている。
【００３８】
封緘片３の内面側の下部に接着剤４が設けられているとともに、上部には接着剤保護シート５が固定して取り付けられている。
【００３９】
接着剤保護シート５の長手方向の一側縁（上部の側縁５ａ）が両面接着テープ（図示せず）を介して固着されており、また短手方向の両側縁５ｂ，５ｃ　が、封緘片３の両側縁に熱溶断シールされることによって、封緘片３に固定されている点も実施形態１と同様である。
【００４０】
本実施形態では、図１４に示すように下部の開口部２から被包装物７が袋本体１内に収納されるが、接着剤４が接着剤保護シート５で保護されているので、実施形態１と同様に開口部２から袋本体１内に収納する作業をスムーズに行える。
【００４１】
次に、図１５及び図１６に示すように封緘片３を展開し、接着剤４を接着剤保護シート５から剥離して接着剤４を表面に裸出させる。
【００４２】
その後、図１７に示すように、折り込みの位置を代えて袋本体１と対面するように封緘片３を折り曲げることで、接着剤４を介して封緘片３は袋本体１側に接着される。
【００４３】
このようにして袋本体１が封緘され、被包装物７である商品が包装されることとなり、さらにヘッダー部８の吊下用孔１１を吊杆（図示せず）に挿通させることにより、包装用袋６が吊り下げ展示されることとなる。
【００４４】
本実施形態においても、包装用袋の使用前においては、封緘片３は接着剤４を介して接着剤保護シート５に接着されているので、接着剤保護シート５は離型材としての機能を奏し、袋本体１に被包装物７を収納する際に、その被包装物７に接着剤４が不用意に接着されることもない。しかも接着剤保護シート５は封緘片３に固定されていて従来の離型材のように剥離されないので、ゴミとして廃棄されるようなこともない。
【００４５】
（実施形態３）
本実施形態では袋本体１の上部にヘッダー部８が形成されている点で上記実施形態２と共通するが、図１８に示すように開口部２は袋本体１の上部に形成されており、その点で開口部２が袋本体１の下部に形成されている実施形態２の場合と相違する。
【００４６】
本実施形態では、図１８乃至図２０に示すように、区画シール部９からフィルムが下向きに延長されて封緘片３が形成されており、該封緘片３の内面側の下部に接着剤４が設けられ、封緘片３の内面側の上部に接着剤保護シート５が固定して取り付けられている。袋本体１及び接着剤保護シート５は、上記実施形態と同様に延伸ポリプロピレンで構成されている。
【００４７】
封緘片３は、図１８に示すように、接着剤４が接着剤保護シート５と対面するように折り曲げられており、接着剤４が接着剤保護シート５に接着されている。また封緘片３は、袋本体１の他片１ｂと対面している。
【００４８】
本実施形態では、袋本体１及び封緘片３を構成するフィルムの表面側にコロナ放電処理がなされており、裏面側にはコロナ放電処理がなされていない。フィルムの表面側にコロナ放電処理がなされているので、上記のように封緘片３が袋本体１の他片１ｂと対面しているにもかかわらず、袋の製造工程において袋本体の両側縁が熱溶断シールされる際に、封緘片３と袋本体１の他片１ｂとが不用意に熱溶着されることもないのである。
【００４９】
尚、このような不用意な熱溶着を阻止する手段として、上記のようなコロナ放電処理を施す手段に代えて、たとえばメジウム印刷を施すことによる手段を採用することも可能である。この場合には、メジウム印刷は封緘片の表面側になされることとなる。
【００５０】
本実施形態においては、図１９に示すように封緘片３を持ち上げ、袋本体１の上部の開口部２から袋本体１内に被包装物７を収納する。
【００５１】
次に、折り曲げられた状態で接着剤４を介して接着剤保護シート５に接着されていた封緘片３を展開し、接着剤４を接着剤保護シート５から剥離して接着剤４を表面に裸出された状態とした後、図２０に示すように、接着剤４を介して封緘片３を袋本体１の他片１ｂ側に接着する。
【００５２】
本実施形態においても、包装用袋の使用前においては、封緘片３は接着剤４を介して接着剤保護シート５に接着されているので、接着剤保護シート５は離型材としての機能を奏し、袋本体１に被包装物７を収納する際に、その被包装物７に接着剤４が不用意に接着されることもない。しかも接着剤保護シート５は封緘片３に固定されていて従来の離型材のように剥離されないので、ゴミとして廃棄されるようなこともない。
【００５３】
（その他の実施形態）
尚、上記実施形態では、接着剤保護シート５の長手方向の一側縁５ａ側が両面接着テープを介して固着することにより、接着剤保護シート５を封緘片３に取り付けたが、接着剤保護シート５を封緘片３に取り付ける手段はこれに限定されるものではなく、たとえば接着剤保護シート５の長手方向の一側縁５ａ側を熱溶着することにより、封緘片３に取り付けることも可能である。
【００５４】
また、該実施形態では、接着剤保護シート５の短手方向の両側縁５ｂ，５ｃ　側を封緘片３の両側縁に熱溶断シールしたため、接着剤保護シート５の短手方向の両側縁５ｂ，５ｃ　の封緘片３への取り付けを、袋の製造するための熱溶断シールと同時に行えるという好ましい効果が得られたが、接着剤保護シート５の短手方向の両側縁５ｂ，５ｃ　を封緘片３に取り付ける手段も該実施形態に限定されるものでない。
【００５５】
また、該実施形態では、接着剤保護シート５の長手方向の一側縁５ａ側のみならず、短手方向の両側縁５ｂ，５ｃ　側も封緘片３に固着したため、接着剤保護シート５が封緘片３から離脱するのをより確実に防止できるという好ましい効果が得られたが、このように長手方向の一側縁５ａと短手方向の両側縁５ｂ，５ｃ　との双方を固着するのは本発明に必須の条件ではない。
【００５６】
さらに、袋本体１の開口部２は、上記実施形態１や実施形態３のように袋本体１の上部に形成されていてもよく、また実施形態２のように下部に形成されていてもよい。
【００５７】
さらに、上記実施形態１のようにヘッダー部のない包装用袋、実施形態２や実施形態３のようにヘッダー部８のある包装用袋のいずれも本発明の範囲に含まれる。
【００５８】
さらに、上記実施形態２では、ヘッダー部８に具備される補強片１０として合成紙を用いたが、合成紙以外に、たとえば厚手の紙に合成樹脂をコーティングしたものであってもよい。
【００５９】
さらに上記実施形態では、袋本体１が延伸ポリプロピレンフィルムで構成されていたが、袋本体１の材質はこれに限定されるものではなく、たとえば無延伸ポリプロピレンフィルムで構成されていてもよい。
【００６０】
袋本体１を無延伸ポリプロピレンフィルムで構成する場合であっても、接着剤保護シート５は延伸ポリプロピレンフィルムで構成することも可能である。
【００６１】
さらに、ポリプロピレン以外に、ポリエチレンフィルムで袋本体１を構成することも可能である。
【００６２】
同様に、接着剤保護シート５の材質も上記実施形態の延伸ポリプロピレンフィルムに限定されるものではなく、たとえば無延伸ポリプロピレンフィルムやポリエチレンフィルムを使用することも可能である。
【００６３】
さらに、本発明は、袋本体１が合成樹脂製の包装用袋を主眼とするものではあるが、その材質はこれに限定されるものではない。
【００６４】
また、本発明の包装用袋の用途も問わない。
【００６５】
【発明の効果】
以上のように、本発明においては、袋本体の開口部を封緘する封緘片が設けられた包装用袋において、前記封緘片を前記袋本体と対面するように折り曲げた際に、該封緘片を前記袋本体に接着させる接着剤が前記封緘片に設けられ、且つ前記封緘片を前記袋本体と対面しないように折り曲げた際に、前記接着剤と対面する封緘片上の位置に、接着剤保護シートが固定して取り付けられているため、この接着剤保護シートが従来の離型材と同様に機能し、しかも封緘片から離脱することがないので、従来のように離型材が屋外で地面等に廃棄されるというようなことが好適に防止されるという効果がある。
【００６６】
この結果、たとえば公共料金の徴収の際に領収書を収納するして顧客に手渡す集金係員は、離型材を剥離する作業を行う必要がなく、また離型材を廃棄するようなことも回避されるという利点がある。
【００６７】
また、袋への商品の収納を工場等で作業員が行う場合に、離型材が作業員の手に不用意に付着するという問題も生じることがない。
【００６８】
さらに、接着剤保護シートの長手方向の一側縁側及び短手方向の両側縁側を封緘片に固着した場合には、接着剤保護シートの封緘片からの離脱をより確実に防止できるという効果がある。
【図面の簡単な説明】
【図１】一実施形態としての包装用袋の正面図。
【図２】図１のＡ−Ａ線断面図。
【図３】被包装物を収納した状態の断面図。
【図４】封緘片を展開した状態の正面図。
【図５】図４のＢ−Ｂ線断面図。
【図６】封緘した状態の断面図。
【図７】一実施形態の包装用袋の製造工程を示し、長尺フィルムの移送工程の概略平面図。
【図８】長尺フィルムを折り曲げる工程の概略平面図。
【図９】接着剤及び接着剤保護シートを設ける工程の概略平面図。
【図１０】延長片を折り曲げる工程の概略平面図。
【図１１】所定間隔毎に熱溶断する工程の概略平面図。
【図１２】他実施形態の包装用袋の正面図。
【図１３】図１２のＣ−Ｃ線断面図
【図１４】被包装物を収納した状態の断面図。
【図１５】封緘片を展開した状態の正面図。
【図１６】図１５のＤ−Ｄ線断面図。
【図１７】封緘した状態の断面図。
【図１８】他実施形態の包装用袋の断面図。
【図１９】被包装物を収納した状態の断面図。
【図２０】封緘した状態の断面図。
【図２１】従来の包装用袋の断面図。
【図２２】従来の包装用袋の断面図。
【符号の説明】
１…袋本体　　　　　　　２…開口部
３…封緘片　　　　　　　４…接着剤
５…接着剤保護シート
【図１】
2004034990.tif 000003
【図２】
2004034990.tif 000004
【図３】
2004034990.tif 000005
【図４】
2004034990.tif 000006
【図５】
2004034990.tif 000007
【図６】
2004034990.tif 000008
【図７】
2004034990.tif 000009
【図８】
2004034990.tif 000010
【図９】
2004034990.tif 000011
【図１０】
2004034990.tif 000012
【図１１】
2004034990.tif 000013
【図１２】
2004034990.tif 000014
【図１３】
2004034990.tif 000015
【図１４】
2004034990.tif 000016
【図１５】
2004034990.tif 000017
【図１６】
2004034990.tif 000018
【図１７】
2004034990.tif 000019
【図１８】
2004034990.tif 000020
【図１９】
2004034990.tif 000021
【図２０】
2004034990.tif 000022
【図２１】
2004034990.tif 000023
【図２２】
2004034990.tif 000024